【事件の表示】
　特願２００５−３３０４８２「多層積層フィルム」拒絶査定不服審判事件〔平成１９年　６月　７日出願公開、特開２００７−１３６７３９〕について、次のとおり審決する。
【結　論】
　本件審判の請求は、成り立たない。
【理　由】
１．手続の経緯
　本願は、平成１７年１１月１５日の出願であって、平成２３年２月１７日付けで拒絶査定がなされ、これに対し、同年５月１８日に拒絶査定に対する審判請求がなされるとともに、特許請求の範囲についての手続補正がなされたものである。
　
２．平成２３年５月１８日付けの手続補正についての補正却下の決定
［補正却下の決定の結論］
　平成２３年５月１８日付けの手続補正（以下、「本件補正」という。）を却下する。
［理由］
２−１．本件補正
　本件補正は、平成２３年１月６日付けで補正された特許請求の範囲の【請求項１】に記載された「接着性ポリオレフィン系樹脂」（４個所）を「不飽和カルボン酸で変成した酸変成ポリオレフィン系樹脂からなる接着性ポリオレフィン」と、「上記のポリオレフィン系樹脂」（２個所）を「上記の接着性ポリオレフィン系樹脂」とする補正を含むものである。
　上記補正のうち「接着性ポリオレフィン系樹脂」を「不飽和カルボン酸で変成した酸変成ポリオレフィン系樹脂からなる接着性ポリオレフィン」とする補正は、補正前の請求項１で規定された「接着性ポリオレフィン系樹脂」をさらに限定して特定しようとするものである。
　そして、出願当初の明細書の段落番号【００２４】には「ポリエチレン系樹脂あるいはポリプロピレン系樹脂等のポリオレフィン系樹脂をアクリル酸、メタクリル酸、無水マレイン酸、フマ−ル酸、マレイン酸、イタコン酸、その他等の不飽和カルボン酸で変性した酸変性ポリオレフィン系樹脂、その他等のヒ−トシ−ル性を有するポリオレフィン系樹脂の１種ないし２種以上を使用することが好ましいものである。」と記載され、また、実施例として「無水マレイン酸変性の接着性ポリエチレン」や「無水マレイン酸変性の接着性ポリプロピレン」が記載されているように、出願当初の明細書には「変成」の記載はなく、本件補正に係る「変成」は、明細書全体の記載から「変性」の誤記と認められることより、本件補正は、平成１８年法律第５５号改正附則第３条第１項によりなお従前の例とされる同法による改正前の特許法第１７条の２第４項第２号に規定される特許請求の範囲の減縮を目的とする補正に該当するものと認める。
　そこで、本件補正後の請求項１に記載された事項中の「変成」を、「変性」とし、これによって特定される発明が特許出願の際独立して特許を受けることができるものであるか（上記特許法第１７条の２第５項において準用する同法第１２６条第５項の規定に適合するか）について検討する。
　
２−２．本願補正発明
　補正後の本願の請求項１に係る発明は、補正後の特許請求の範囲の請求項１に記載された事項中の誤記の訂正をした、以下の事項により特定されるとおりのものと認める（以下、「本願補正発明」という。）。
「少なくとも、ポリオレフィン系樹脂を主成分として含み、更に、白色顔料を含み、かつ、白色顔料の含有量が、上記のポリオレフィン系樹脂に対し、０．５重量％〜３０．０重量％からなる樹脂組成物による白色樹脂層と、
不飽和カルボン酸で変性した酸変性ポリオレフィン系樹脂からなる接着性ポリオレフィン系樹脂を主成分として含み、更に、黒色顔料を含み、かつ、黒色顔料の含有量が、上記の接着性ポリオレフィン系樹脂に対し、０．１重量％〜２０．０重量％からなる樹脂組成物、または、不飽和カルボン酸で変性した酸変性ポリオレフィン系樹脂からなる接着性ポリオレフィン系樹脂を主成分として含み、更に、黒色顔料と白色顔料とを含み、かつ、該黒色顔料の含有量が、上記の接着性ポリオレフィン系樹脂に対し、０．１重量％〜２０．０重量％からなり、また、白色顔料の含有量が、黒色顔料の含有量に対し、１倍〜３０倍からなる樹脂組成物による第１の遮光性接着樹脂層と、
エチレン−ビニルアルコ−ル共重合体、ナイロンＭＸＤ６樹脂、または、ナイロン６とナイロン６６との共重合体からなるバリア性樹脂を主成分として含む樹脂組成物によるバリア性樹脂層と、
不飽和カルボン酸で変性した酸変性ポリオレフィン系樹脂からなる接着性ポリオレフィン系樹脂を主成分として含み、更に、黒色顔料を含み、かつ、黒色顔料の含有量が、上記の接着性ポリオレフィン系樹脂に対し、０．１重量％〜２０．０重量％からなる樹脂組成物、または、不飽和カルボン酸で変性した酸変性ポリオレフィン系樹脂からなる接着性ポリオレフィン系樹脂を主成分として含み、更に、黒色顔料と白色顔料とを含み、かつ、該黒色顔料の含有量が、上記の接着性ポリオレフィン系樹脂に対し、０．１重量％〜２０．０重量％からなり、また、白色顔料の含有量が、黒色顔料の含有量に対し、１倍〜３０倍からなる樹脂組成物による第２の遮光性接着樹脂層と、
ポリオレフィン系樹脂を主成分として含む樹脂組成物によるヒ−トシ−ル性樹脂層とを順次に共押出積層した共押出積層フィルムからなること
を特徴とする多層積層フィルム。」
　
２−３．引用文献
　原査定の拒絶の理由に引用された特開２００５−２３１０４１号公報（以下、「引用文献１」という。）には、「多層積層フィルム」に関して、以下の事項が図面とともに記載されている。
（ア）「【請求項１】少なくとも、遮光性樹脂層とバリア性樹脂層とを含む共押出積層フィルムからなることを特徴とする多層積層フィルム。
【請求項２】遮光性樹脂層が、その他方の面に、白色樹脂層および／または透明ないし半透明の樹脂層を積層することを特徴とする上記の請求項１に記載する多層積層フィルム。
【請求項３】バリア性樹脂層が、その他方の面に、白色樹脂層および／または透明ないし半透明の樹脂層を積層することを特徴とする上記の請求項１〜２のいずれか１項に記載する多層積層フィルム。
【請求項４】
バリア性樹脂層が、その界面に、接着性樹脂層を介して積層されることを特徴とする上記の請求項１〜３のいずれか１項に記載する多層積層フィルム。
【請求項５】遮光性樹脂層が、ポリオレフィン系樹脂を主成分として含み、更に、黒色顔料と白色顔料とを含み、かつ、該黒色顔料の含有量が、上記のポリオレフィン系樹脂に対し、０．１重量％〜２０．０重量％からなり、また、白色顔料の含有量が、黒色顔料の含有量に対し、１倍〜３０倍からなる樹脂組成物による遮光性樹脂層からなることを特徴とする上記の請求項１〜４のいずれか１項に記載する多層積層フィルム。
…（中略）…
【請求項７】白色樹脂層が、ポリオレフィン系樹脂を主成分として含み、更に、白色顔料を含み、かつ、白色顔料の含有量が、上記のポリオレフィン系樹脂に対し、０．５重量％〜３０．０重量％からなる樹脂組成物による白色樹脂層からなることを特徴とする上記の請求項１〜６のいずれか１項に記載する多層積層フィルム。
【請求項８】透明ないし半透明の樹脂層が、ポリオレフィン系樹脂を主成分として含む樹脂組成物による透明ないし半透明の樹脂層からなることを特徴とする上記の請求項１〜７のいずれか１項に記載する多層積層フィルム。
…（中略）…
【請求項１３】ポリオレフィン系樹脂が、ポリエチレン系樹脂、ポリプロピレン系樹脂、または、それらの変性樹脂からなることを特徴とする上記の請求項１〜１２のいずれか１項に記載する多層積層フィルム。
【請求項１４】バリア性樹脂が、エチレン−ビニルアルコ−ル共重合体、または、ナイロンＭＸＤ６樹脂からなることを特徴とする上記の請求項１〜１３のいずれか１項に記載する多層積層フィルム。」（特許請求の範囲）
（イ）「本発明に係る多層積層フィルムは、遮光性材料、バリア性材料等であると共にヒ−トシ−ル性材料としても作用し、アルミニウムレスでありながら遮光性に優れ、かつ、酸素ガスおよび水蒸気の透過を阻止するガスバリア性に優れ、また、ヒ−トシ−ル性等にも優れ、更に、強度等を有し、かつ、耐侯性、耐熱性、耐水性、ラミネ−ト強度、その他等の諸堅牢性に優れ、特に、遮光性ないし光遮断性に優れ、例えば、太陽あるいは蛍光灯等による太陽光あるいは蛍光等の透過を阻止し、内容物が、分解ないし変質し、あるいは、褪色、その他等の光劣化を引き起こすということを防止し、内容物の充填包装適性、保存適性等を有し、特に、完全遮光を要する産業部材としての感光性材料の包装用材料として極めて優れた有用性を有し、かつ、包装外観を損ねることなく美粧性に優れ、更に、使用後に焼却廃棄処理する際に有害物質等を発生することなく、廃棄処理適性、環境適性等に極めて優れ、また、金属探知機等による金属片（異物）探知も容易であるという利点を有するものである。」（段落番号【０００８】の記載参照）
（ウ）「本発明に係る多層積層フィルムについて、別の具体例を例示すると、図４に示すように、ポリオレフィン系樹脂を主成分として含み、更に、黒色顔料と白色顔料とを含み、かつ、黒色顔料の含有量が、ポリオレフィン系樹脂に対し、０．１重量％〜２０．０重量％からなり、また、白色顔料の含有量が、黒色顔料の含有量に対し１倍〜３０倍からなる樹脂組成物による遮光性樹脂層２からなり、更に、該遮光性樹脂層２の一方の面に、酸素ガスおよび水蒸気の透過を阻止するバリア性樹脂を主成分として含む樹脂組成物によるバリア性樹脂層３を積層し、更に、上記の遮光性樹脂層２の他方の面と、上記のバリア性樹脂層３の他方の面との両面に、ポリオレフィン系樹脂を主成分として含み、更に、白色顔料を含み、かつ、白色顔料の含有量が、ポリプロピレン系樹脂に対し、０．５重量％〜３０．０重量％からなる樹脂組成物による白色樹脂層４、４を積層し、更にまた、上記の白色樹脂層４、４の両面に、ポリオレフィン系樹脂を主成分として含む樹脂組成物による透明ないし半透明の樹脂層５、５を積層する構成からなる共押出積層フィルム１ｂからなる本発明に係る多層積層フィルムＡ３ を例示することができる。」（段落番号【００１３】の記載参照）
（エ）「上記の例示は、本発明に係る多層積層フィルムについてその二三例を例示したものであり、本発明は、これに限定されるものではないことは言うまでもないことである。
　なお、本発明に係る多層積層フィルムにおいて、遮光性樹脂層、白色樹脂層、および、透明ないし半透明の樹脂層等は、いずれも、ポリオレフィン系樹脂を主成分として構成することから相互に親和性を有し、相互に密接着して強固に積層し得るが、バリア性樹脂層は、後述するように、例えば、エチレン−ビニルアルコ−ル共重合体あにいはナイロンＭＸＤ６樹脂等を主成分として構成することから、上記の遮光性樹脂層、白色樹脂層、および、透明ないし半透明の樹脂層等と親和性、密着性等に劣ることから、遮光性樹脂層、白色樹脂層、および、透明ないし半透明の樹脂層等とバリア性樹脂層とは、相互に密着性を有する接着性樹脂層等を介して積層することが望ましいものである。」（段落番号【００１４】の記載参照）
（オ）「本発明に係る多層積層フィルムにおいて、遮光性樹脂層は、基本的には、主として、白色樹脂層と相互に相乗的に作用し、その太陽あるいは蛍光灯等による太陽光あるいは蛍光等を吸収し、その透過を阻止する遮光性ないし光遮断性層等として作用するものである。また、本発明に係る多層積層フィルムにおいて、バリア性樹脂層は、酸素ガスおよび水蒸気の透過を阻止するガスバリア性層として作用するものである。
　次に、本発明に係る多層積層フィルムにおいて、白色樹脂層は、基本的には、主として、上記の遮光性樹脂層あるいはバリア性樹脂層等を保護ないし隠蔽する保護層ないし隠蔽層、および、太陽あるいは蛍光灯等による太陽光あるいは蛍光等を反射ないし拡散し、その透過を阻止する遮光性ないし光遮断性層等として作用するものであり、更に、白色樹脂層は、その上に、例えば、所望の文字、記号、絵柄、図形、その他等の印刷模様を直接あるいは間接的に形成する場合、その印刷模様を構成する所望の文字、記号、絵柄、図形、その他等の印刷模様を鮮明にする下地層として作用し」（段落番号【００１６】の記載参照）
（カ）「本発明に係る多層積層フィルムを構成する遮光性樹脂層、白色樹脂層、透明ないし半透明の樹脂層等を形成するポリオレフィン系樹脂としては、熱によって溶融し、Ｔダイ等から押出可能なポリオレフィン系樹脂、具体的には、例えば、低密度ポリエチレン、中密度ポリエチレン、…（中略）…ポリエチレン、ポリプロピレン等のポリオレフィン系樹脂をアクリル酸、メタクリル酸、無水マレイン酸、フマ−ル酸、その他等の不飽和カルボン酸で変性した酸変性ポリオレフィン系樹脂、その他等のヒ−トシ−ル性を有するポリオレフィン系樹脂の１種ないし２種以上を使用することができる。」（段落番号【００２３】の記載参照）
（キ）「本発明に係る多層積層フィルムを構成するバリア性樹脂層を形成するバリア性樹脂としては、酸素ガスあるいは水蒸気等の透過を遮断ないし阻止する性質を有する樹脂、例えば、ポリ塩化ビニリデン系樹脂、ポリビニルアルコ−ル系樹脂、エチレン−ビニルアルコ−ル共重合体、ナイロンＭＸＤ６樹脂、その他等を使用することができる。而して、本発明において、上記のバリア性樹脂としては、熱により溶融し、前述のポリオレフィン系樹脂と共に共押出可能な樹脂、具体的には、エチレン−ビニルアルコ−ル共重合体あるいはナイロンＭＸＤ６樹脂を使用することが好ましいものである。」（段落番号【００２６】の記載参照）
（ク）「  更にまた、本発明において、本発明に係る多層積層フィルムを構成する接着性樹脂層を形成する接着性樹脂としては、熱により溶融し、上記のポリオレフィン系樹脂とバリア性樹脂とに密着性を有する樹脂、具体的には、例えば、ポリオレフィン系樹脂中、特に、エチレン−酢酸ビニル共重合体、アイオノマ−樹脂、エチレン−アクリル酸エチル共重合体、エチレン−アクリル酸共重合体、エチレン−メタクリル酸共重合体、ポリエチレン系樹脂あるいはポリプロピレン系樹脂等のポリオレフィン系樹脂をアクリル酸、メタクリル酸、無水マレイン酸、フマ−ル酸、マレイン酸、イタコン酸、その他等の不飽和カルボン酸で変性した酸変性ポリオレフィン系樹脂、その他等のヒ−トシ−ル性を有するポリオレフィン系樹脂の１種ないし２種以上を使用することができる。」（段落番号【００２７】の記載参照）
（ケ）「更に、本発明においては、上記の透明ないし半透明の樹脂層は、…（中略）…美麗な印刷模様を再現ないし顕現することができるという効果を奏し、また、その透明ないし半透明の樹脂層の他方が、製袋時等におけるシ−ル部等を形成するヒ−トシ−ル性樹脂層としての機能を兼備するという作用効果を奏することができるものである。」（段落番号【００４３】の記載参照）
（コ）【図４】には、上から順に、透明ないし半透明樹脂層５／白色樹脂層４／遮光性樹脂層２／バリア性樹脂層３／白色樹脂層４／透明ないし半透明樹脂層５が積層されてなる多層積層フィルムＡ３が記載されている。
　
  　以上の記載において、上記【図４】に係る「多層積層フィルムＡ３」は、最上層として「透明ないし半透明樹脂層５」を備えているものの、該「透明ないし半透明樹脂層５」は任意のもの（【請求項２】）であるので、引用文献１には、以下の発明（以下、「引用発明」という。）が記載されているということができる。
「ポリオレフィン系樹脂を主成分として含み、更に、白色顔料を含み、かつ、白色顔料の含有量が、ポリプロピレン系樹脂に対し、０．５重量％〜３０．０重量％からなる樹脂組成物による白色樹脂層と、
不飽和カルボン酸で変性した酸変性ポリオレフィン系樹脂からなるポリオレフィン系樹脂を主成分として含み、更に、黒色顔料と白色顔料とを含み、かつ、該黒色顔料の含有量が、上記のポリオレフィン系樹脂に対し、０．１重量％〜２０．０重量％からなり、また、白色顔料の含有量が、黒色顔料の含有量に対し、１倍〜３０倍からなる樹脂組成物による遮光性樹脂層と、
エチレン−ビニルアルコ−ル共重合体、または、ナイロンＭＸＤ６樹脂からなるバリア性樹脂層と、
ポリオレフィン系樹脂を主成分として含み、更に、白色顔料を含み、かつ、白色顔料の含有量が、ポリプロピレン系樹脂に対し、０．５重量％〜３０．０重量％からなる樹脂組成物による白色樹脂層と、
ポリオレフィン系樹脂を主成分として含む樹脂組成物による透明ないし半透明樹脂層とを備えた共押出積層フィルムからなる多層積層フィルム。」
　
　また、同じく原査定の拒絶の理由に引用された特開２０００−２５８８７２号公報（以下、「引用文献２」という。）には、「写真感光材料用包装材料」として、「内側に積層されたエチレン−αオレフィン共重合体樹脂を５重量％以上含有するポリオレフィン樹脂フィルム層と、外側に積層された高軟化点・防湿樹脂フィルム層と、これらのポリオレフィン樹脂フィルム層と高軟化点・防湿樹脂フィルム層との間に積層された酸素バリヤ樹脂フィルム層とを有する同時多層共押出しフィルムを具備したことを特徴とする写真感光材料用包装材料」（【請求項１】）が記載されており、実施形態として「遮光性物質を含まないポリオレフィン樹脂フィルム層１、遮光性物質を含むポリオレフィン樹脂フィルム層１ａ、遮光性物質を含まない酸素バリヤ樹脂フィルム層２、遮光性物質を含む高軟化点・防湿樹脂フィルム層３ａ及び遮光性物質を含まない高軟化点・防湿樹脂フィルム層３が同時共押出しにより積層された同時５層共押出しフィルムＶａ」（【図６】、段落番号【０１４７】の記載参照）が記載され、ポリオレフィン樹脂フィルム層を構成するポリオレフィン樹脂として、不飽和カルボン酸で変性した酸変性ポリオレフィン系樹脂が用いられ、酸変性ポリオレフィン系樹脂はカーボンブラックのような遮光性物質を均一に分散させることができること（段落番号【００１２】、【００７５】、【００８６】等の記載参照）、ポリオレフィン樹脂フィルム層等に添加する遮光性物質としては光吸収性のカーボンブラックと窒化チタンとグラファイト及び鉄黒が好ましいこと（【０１０１】〜【０１０３】）、酸素バリヤ樹脂フィルム層を形成するバリヤー熱可塑性樹脂としてエチレン−ビニルアルコール共重合体樹脂やポリアミド樹脂があること（【０１０８】、【０１０９】）等が記載されている。
　すなわち、引用文献２には、エチレン−ビニルアルコール共重合体樹脂で形成されるバリア樹脂層の両面に、不飽和カルボン酸で変性した酸変性ポリオレフィン系樹脂にカーボンブラックのような遮光性物質を添加した遮光樹脂層を積層して共押出した多層積層フィルムが記載されている。
　
　さらに、同じく原査定の拒絶の理由に引用された特開平８−１５６２０２号公報（以下、「引用文献３」という。）には、「多層射出成形物」として、「三種類の熱可塑性樹脂と該熱可塑性樹脂間に設けた接着性樹脂の五層から成り、外側から第一番目の層となる外側表面層と該外側表面層から第五番目の層となる内側表面層がポリオレフィン系樹脂にて形成され、外側表面層に隣接する内側の第二番目の層と内側表面層に隣接する内側の第四番目の層が接着性樹脂にて形成されており、第三番目の層がガスバリアー性の樹脂から成り、第二番目の層と第四番目の層にカーボンブラックを添加し、外側表面層と内側表面層が白または黒以外の色に着色された樹脂から形成されている多層プラスチック構造物」（【請求項１】、【請求項３】、【請求項５】）が図面とともに記載されており、「ガスバリアー性樹脂（１）としてはＥＶＯＨ（エチレン−ビニルアルコール共重合体）が適しており、中間層をなすＥＶＯＨと表面層をなすポリオレフィン系樹脂（２）とでは相互間の接着力がないために、ポリオレフィン系樹脂と中間層のＥＶＯＨの間に接着性樹脂（３）を介する必要がある。すなわち、ガスバリアー性能を付与するだけで、表面層／接着層／ガスバリアー性樹脂層／接着層／表面層といった三種五層の層構成が必要となる」（段落番号【０００８】の記載参照）こと、（第二番目の層と第四番目の層を形成する）接着性樹脂に添加されるカーボンブラックは、遮光性能に最も優れた顔料の一つであり、接着性樹脂にカーボンブラックを添加することにより遮光性能を持つこと（段落番号【０００９】の記載参照）、該多層プラスチック構造物は押出し成形、ブロー成形でも成形することができること（段落番号【００１１】の記載参照）が記載されている。
　すなわち、引用文献３には、エチレン−ビニルアルコール共重合体樹脂で形成されるバリア樹脂層の両面に黒色顔料（カーボンブラック）を含む接着性樹脂から成る遮光性接着樹脂層とその表面に白色樹脂層を有する多層樹脂構造物が押出し成形されることが記載されている。
　
２−４．対比
　本願補正発明と引用発明とを対比する。
　本願補正発明に係る多層積層フィルムと引用発明に係る多層積層フィルムとは、樹脂組成物による５層を含んでいることで共通しているので、以下、各層を、それぞれ第１層、第２層、第３層、第４層及び第５層として、対比する。
　引用発明の第１層は、本願補正発明の第１層である白色樹脂層と同一である。
　引用発明の第２層は、本願補正発明の第２層の「または」以下で規定される層が樹脂組成物の主成分が「接着性ポリオレフィン系樹脂」である「第１の遮光性接着樹脂層」としているに対し、単に「遮光性樹脂層」とされ、樹脂組成物の主成分も単に「ポリオレフィン樹脂」として「接着性」であることを規定していない点で相違しているが、ポリオレフィン系樹脂が「不飽和カルボン酸で変性した酸変性ポリオレフィン系樹脂」である点及び黒色顔料及び白色顔料の含有量の範囲において、本願補正発明の「第１の遮光性接着樹脂層」と一致している。
　引用発明の第３層は、エチレン−ビニルアルコ−ル共重合体、またはナイロンＭＸＤ６樹脂を主成分とするバリア性樹脂層である点で、本願補正発明の第３層である「バリア性樹脂層」と一致する。
　引用発明の第４層は、本願補正発明の第４層である「第２の遮光性接着樹脂層」が第２層の「第１の遮光性接着樹脂層」と同じ樹脂組成物からなるのに対し、第１層と同じ白色樹脂層である点で相違しているが、引用文献１には、「白色樹脂層は基本的には、主として、上記の遮光性樹脂層あるいはバリア性樹脂層等を保護ないし隠蔽する保護層ないし隠蔽層、および、太陽あるいは蛍光灯等による太陽光あるいは蛍光等を反射ないし拡散し、その透過を阻止する遮光性ないし光遮断性層等として作用するもの」である旨が記載されており（上記摘示記載（オ）参照）、本願明細書の段落番号【００１３】にも同様の記載があることから、引用発明の第４層も「遮光性樹脂層」である点で、本願補正発明の第４層である「第２の遮光性接着樹脂層」に対応し、不飽和カルボン酸で変性した酸変性ポリオレフィン系樹脂からなるポリオレフィン系樹脂を主成分とする樹脂組成物から形成される点（上記摘示記載（カ）参照）で、本願補正発明の第４層である「第２の遮光性接着樹脂層」と一致している。
　引用発明の第５層は、ポリオレフィン系樹脂を主成分として含む樹脂組成物による「透明ないし半透明樹脂層」とされ、また、「ヒ−トシ−ル性樹脂層としての機能を兼備する」（上記摘示記載（ケ）参照）ことから、本願補正発明の第５層である「ヒートシール性樹脂層」に相当する。
　してみれば、本願補正発明と引用発明との一致点及び相違点は、以下のとおりである。　
［一致点］
「少なくとも、ポリオレフィン系樹脂を主成分として含み、更に、白色顔料を含み、かつ、白色顔料の含有量が、上記のポリオレフィン系樹脂に対し、０．５重量％〜３０．０重量％からなる樹脂組成物による白色樹脂層と、
　不飽和カルボン酸で変性した酸変性ポリオレフィン系樹脂からなるポリオレフィン系樹脂を主成分として含み、更に、黒色顔料と白色顔料とを含み、かつ、該黒色顔料の含有量が、上記のポリオレフィン系樹脂に対し、０．１重量％〜２０．０重量％からなり、また、白色顔料の含有量が、黒色顔料の含有量に対し、１倍〜３０倍からなる樹脂組成物による第１の遮光性樹脂層と、
　エチレン−ビニルアルコ−ル共重合体、または、ナイロンＭＸＤ６樹脂からなるバリア性樹脂を主成分として含む樹脂組成物によるバリア性樹脂層と、
　不飽和カルボン酸で変性した酸変性ポリオレフィン系樹脂からなるポリオレフィン系樹脂を主成分として含む樹脂組成物による第２の遮光性樹脂層と、
　ポリオレフィン系樹脂を主成分として含む樹脂組成物によるヒ−トシ−ル性樹脂層とを有する共押出積層フィルムからなる多層積層フィルム。」
　
［相違点１］
　本願補正発明では、不飽和カルボン酸で変性した酸変性ポリオレフィン系樹脂からなる「ポリオレフィン系樹脂」を「接着性ポリオレフィン系樹脂」と規定し、これを主成分とする樹脂組成物からなる第１及び第２の遮光層を「第１の遮光性接着樹脂層」及び「第２の遮光性接着樹脂層」と規定しているのに対し、引用発明では、不飽和カルボン酸で変性した酸変性ポリオレフィン系樹脂からなる「ポリオレフィン系樹脂」を接着性と規定しておらず、第２層及び第４層の「遮光性樹脂層」についても「遮光性接着樹脂層」とは規定していない点。
［相違点２］
　本願補正発明では、「第２の遮光性接着樹脂層」は、「第１の遮光性接着樹脂層」と同じ黒色顔料と白色顔料とを含む接着性ポリオレフィン系樹脂を主成分とする組成物からなるのに対し、引用発明では、第４層は、第１層と同じ白色顔料を含む接着性ポリオレフィン系樹脂を主成分とする組成物からなる点。
［相違点３］
　本願補正発明では、白色樹脂層、第１の遮光性接着樹脂層、バリア性樹脂層、第２の遮光性接着樹脂層、ヒ−トシ−ル性樹脂層とを「順次に共押出積層した」と規定しているのに対し、引用発明では、５層の共押出しについてそのように規定されていない点。
　
２−５．判断
　そこで、上記各相違点について検討する。
［相違点１］及び［相違点３］について
　本願補正発明が、不飽和カルボン酸で変性した酸変性ポリオレフィン系樹脂からなる「ポリオレフィン系樹脂」を「接着性ポリオレフィン系樹脂」と規定する技術的意義は、遮光性物質を含有する樹脂として接着性を有する樹脂を使用することによって、接着性に劣るバリア層との間に、さらなる接着性樹脂層を介在することなく、順次に共押出積層することができるという点にあるものと認められる（請求人が提出した平成２３年１２月２１日付け回答書第２３頁第１４〜２９行の記載参照）。そして、引用文献１には、遮光性樹脂層とバリア樹脂層とが他の接着性樹脂層を介して積層することが望ましいことが記載され（前記摘示記載（エ）参照）、実施例としても（遮光性物質を含まない）接着性樹脂層を含むものが示されている。
　しかしながら、引用文献１についての上記摘示記載（ア）を参照すれば、【請求項４】で規定される接着性樹脂層を介することは、引用発明の一態様であり、【請求項５】以下に規定される発明には、【請求項４】に規定される接着性樹脂層を含まない多層積層フィルムも含まれることは明らかであるので、引用発明も、接着性樹脂層を含まない多層積層フィルムを排除しないものといえる。
　そして、本願補正発明及び引用発明に共通する「不飽和カルボン酸で変性した酸変性ポリオレフィン系樹脂からなるポリオレフィン系樹脂」が接着性を有することは（例えば、引用文献１の段落番号【００２７】に、不飽和カルボン酸で変性した酸変性ポリオレフィン系樹脂を接着性樹脂として使用することが記載され、引用文献２の段落番号【０１１１】に、バリア性樹脂層に酸変性ポリオレフィン樹脂を含有させることで他の層との接着性を向上することが示されているように）、本願出願前周知の技術的事項であり、また、引用文献３には、ガスバリア性樹脂層の両面に積層される接着性樹脂層に黒色顔料を添加して遮光性接着樹脂層として、他の接着性樹脂を介する必要なく多層構造物を押出し成形により得られることが記載されているので、引用発明に引用文献３に記載された事項を適用して、引用発明のバリア性樹脂層の両面に配置される遮光性顔料を含有する「不飽和カルボン酸で変性した酸変性ポリオレフィン系樹脂からなるポリオレフィン系樹脂」からなる第２層及び第４層をそれぞれ「第１の遮光性接着樹脂層」及び「第２の遮光性接着樹脂層」とし、（他の接着樹脂層を介在することなく）前記５層を順次に共押出積層することは、当業者が容易になし得る事項であり、それによって生じる効果も、当業者が容易に予測しうる範囲のものと認められる。
　
［相違点２］について
　遮光性及びバリア性に優れた多層樹脂成形品として、バリア性樹脂層の両面に遮光性樹脂層を積層し、その際にバリア性樹脂層の両面の遮光性樹脂層を何れもカーボンブラックのような黒色顔料を含む樹脂組成物で構成することは、引用文献２及び３に記載されているように本願出願前周知の技術的事項であり、引用発明において遮光性樹脂層として作用する第４の樹脂層を白色樹脂層に代えて、第２の樹脂層と同じ黒色顔料を含む遮光性樹脂層とすることは当業者が適宜なし得る設計的事項であり、それによって作用効果に格別の差異が生じるものとも認められない。
　
　以上のとおりであるから、本願補正発明は、引用発明並びに引用文献２及び３に記載された発明に基づいて当業者が容易に発明をすることができたものである。
　
２−６．むすび
　上記のとおり、本願補正発明は、引用発明並びに引用文献２及び３に記載された発明に基づいて当業者が容易に発明をすることができたものであり、特許法第２９条第２項の規定により特許出願の際に独立して特許を受けることのできないものであるので、本件補正は、平成１８年法律第５５号改正附則第３条第１項によりなお従前の例によるとされる同法による改正前の特許法第１７条の２第５項において準用する同法第１２６条第５項の規定に違反するものであるので、同法第１５９条第１項において読み替えて準用する同法第５３条第１項の規定により却下すべきものである。
　
３．本願発明について
３−１．本願発明
　平成２３年５月１８日付けの手続補正は上記のとおり却下されたので、本願の請求項１乃至１０に係る発明は、平成２３年１月６日付けで補正された特許請求の範囲の請求項１乃至１０に記載された事項により特定されるとおりのものであるところ、請求項１の記載は、以下のとおりである（以下、これによって特定される発明を「本願発明」という。）。
「少なくとも、ポリオレフィン系樹脂を主成分として含み、更に、白色顔料を含み、かつ、白色顔料の含有量が、上記のポリオレフィン系樹脂に対し、０．５重量％〜３０．０重量％からなる樹脂組成物による白色樹脂層と、
接着性ポリオレフィン系樹脂を主成分として含み、更に、黒色顔料を含み、かつ、黒色顔料の含有量が、上記のポリオレフィン系樹脂に対し、０．１重量％〜２０．０重量％からなる樹脂組成物、または、接着性ポリオレフィン系樹脂を主成分として含み、更に、黒色顔料と白色顔料とを含み、かつ、該黒色顔料の含有量が、上記のポリオレフィン系樹脂に対し、０．１重量％〜２０．０重量％からなり、また、白色顔料の含有量が、黒色顔料の含有量に対し、１倍〜３０倍からなる樹脂組成物による第１の遮光性接着樹脂層と、エチレン−ビニルアルコ−ル共重合体、ナイロンＭＸＤ６樹脂、または、ナイロン６とナイロン６６との共重合体からなるバリア性樹脂を主成分として含む樹脂組成物によるバリア性樹脂層と、
接着性ポリオレフィン系樹脂を主成分として含み、更に、黒色顔料を含み、かつ、黒色顔料の含有量が、上記のポリオレフィン系樹脂に対し、０．１重量％〜２０．０重量％からなる樹脂組成物、または、接着性ポリオレフィン系樹脂を主成分として含み、更に、黒色顔料と白色顔料とを含み、かつ、該黒色顔料の含有量が、上記のポリオレフィン系樹脂に対し、０．１重量％〜２０．０重量％からなり、また、白色顔料の含有量が、黒色顔料の含有量に対し、１倍〜３０倍からなる樹脂組成物による第２の遮光性接着樹脂層と、
ポリオレフィン系樹脂を主成分として含む樹脂組成物によるヒ−トシ−ル性樹脂層とを順次に共押出積層した共押出積層フィルムからなること
を特徴とする多層積層フィルム。」
　
３−２．引用文献
　原査定の拒絶の理由に引用された引用文献１乃至３及びそれらの記載事項は、前記「２−３．引用文献」に記載したとおりである。
　
３−３．対比・判断
　本願発明は、上記「２−２．本願補正発明」に記載した発明から、該発明の「接着性ポリオレフィン系樹脂」を特定する事項である「不飽和カルボン酸で変性した酸変性ポリオレフィン系樹脂から成る」という限定事項、及び「ポリオレフィン系樹脂」を特定する「接着性」という限定事項を省いたものである。
　そうすると、本願発明を規定する事項を全て含み、さらに他の限定事項を付加したものに相当する本願補正発明が、前記「２−５．判断」で述べたとおり、引用文献１乃至３に記載された発明に基づいて当業者が容易に発明をすることができたものであるから、本願発明も、同様の理由により引用文献１乃至３に記載された発明に基づいて当業者が容易に発明をすることができたものであり、特許法第２９条第２項の規定により、特許を受けることができないものである。
　
３−４．むすび
　以上のとおり、本願発明は、特許法第２９条第２項の規定により特許を受けることができないので、他の請求項について検討するまでもなく、本願は拒絶すべきものである。
　よって、原査定は妥当であり、結論のとおり審決する。